(57)【要約】  方法、コンピュータプログラム製品、および装置が提供される。装置は、ワイヤレス広域ネットワーク（ＷＷＡＮ）サブフレームの利用可能性を決定し、また、ＷＷＡＮサブフレームが利用可能である場合にピアツーピア通信のためにＷＷＡＮサブフレームを利用する。したがって、ピアモバイル端末またはデバイスは、既存のＷＷＡＮ通信の品質に影響を与えることなく、少ない量の情報の通信のためのダイレクトピアツーピアリンクを確立しうる。ワイヤレス広域ネットワーク（ＷＷＡＮ）シナリオにおいて、モバイル端末間での通信は、モバイル端末と基地局との間のアップリンク／ダウンリンクチャネル（すなわち、ＷＷＡＮリンク）を通して容易にされる。したがって、さまざまなタイプのアプリケーションのために、大量のシグナリングオーバーヘッドを必要としない少ない量の情報の頻繁な通信の効率的な手段が提供される。
2015515223.tif 000002
【特許請求の範囲】
【請求項１】
ワイヤレス広域ネットワーク（ＷＷＡＮ）サブフレームの利用可能性を決定することと、
前記ＷＷＡＮサブフレームが利用可能な場合に、ピアツーピア通信のために前記ＷＷＡＮサブフレームを利用することと、
を備える、ワイヤレス通信の方法。
【請求項２】
前記ＷＷＡＮサブフレームの利用可能性を決定することは、
前記ＷＷＡＮサブフレームがアイドルであることを示す情報を受信すること
を備える、請求項１に記載の方法。
【請求項３】
前記情報は、発展型ノードＢ（ｅＮＢ）または前記ｅＮＢと通信しているユーザ機器（ＵＥ）のうちの１つから受信される、請求項２に記載の方法。
【請求項４】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項２に記載の方法。
【請求項５】
前記ＷＷＡＮサブフレームの利用可能性を決定することは、
第２のＷＷＡＮサブフレームのエネルギーを決定することと、
前記第２のＷＷＡＮサブフレームの前記決定されたエネルギーに基づいて、ＷＷＡＮサブフレームの使用が、ＷＷＡＮ通信への干渉を引き起こすか否かを決定することと、
を備える、請求項１に記載の方法。
【請求項６】
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項５に記載の方法。
【請求項７】
前記第２のＷＷＡＮサブフレームはダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項５に記載の方法。
【請求項８】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項５に記載の方法。
【請求項９】
前記エネルギーは、前記ＷＷＡＮサブフレームにおけるリソースの第１のセットにおいて決定され、前記方法は、前記決定されたエネルギーが前記しきい値を下まわるか否かに基づいて、ピアツーピア通信のための前記ＷＷＡＮサブフレームにおけるリソースの第２のセットを使用することを決定することをさらに備える、請求項８に記載の方法。
【請求項１０】
前記リソースの第１のセットは、直交周波数分割多重化（ＯＦＤＭ）シンボルの第１のセットであり、前記リソースの第２のセットは、ＯＦＤＭシンボルの第２のセットである、請求項９に記載の方法。
【請求項１１】
前記ＯＦＤＭシンボルの第１のセットは、物理制御フォーマットインジケータ制御チャネル（ＰＣＦＩＣＨ）を備える第１のＯＦＤＭシンボルである、請求項１０に記載の方法。
【請求項１２】
ワイヤレス広域ネットワーク（ＷＷＡＮ）サブフレームの利用可能性を決定するための手段と、
前記ＷＷＡＮサブフレームが利用可能な場合にピアツーピア通信のために前記ＷＷＡＮサブフレームを利用するための手段と、
を備える、ワイヤレス通信のための装置。
【請求項１３】
前記ＷＷＡＮサブフレームの利用可能性を決定するための手段は、
前記ＷＷＡＮサブフレームがアイドルであることを示す情報を受信するように構成される、請求項１２に記載の装置。
【請求項１４】
前記情報は、発展型ノードＢ（ｅＮＢ）または前記ｅＮＢと通信しているユーザ機器（ＵＥ）のうちの１つから受信される、請求項１３に記載の装置。
【請求項１５】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項１３に記載の装置。
【請求項１６】
前記ＷＷＡＮサブフレームの利用可能性を決定するための手段は、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、請求項１２に記載の装置。
【請求項１７】
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項１６に記載の装置。
【請求項１８】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項１６に記載の装置。
【請求項１９】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項１６に記載の装置。
【請求項２０】
前記エネルギーは、前記ＷＷＡＮサブフレームにおけるリソースの第１のセットにおいて決定され、前記装置は、前記決定されたエネルギーが前記しきい値を下まわるか否かに基づいて、ピアツーピア通信のための前記ＷＷＡＮサブフレームにおけるリソースの第２のセットを使用することを決定するための手段をさらに備える、請求項１９に記載の装置。
【請求項２１】
前記リソースの第１のセットは、直交周波数分割多重化（ＯＦＤＭ）シンボルの第１のセットであり、前記リソースの第２のセットは、ＯＦＤＭシンボルの第２のセットである、請求項２０に記載の装置。
【請求項２２】
前記ＯＦＤＭシンボルの第１のセットは、物理制御フォーマットインジケータ制御チャネル（ＰＣＦＩＣＨ）を備える第１のＯＦＤＭシンボルである、請求項２１に記載の装置。
【請求項２３】
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行なうように構成された処理システムを備える、ワイヤレス通信のための装置。
【請求項２４】
前記ＷＷＡＮサブフレームの利用可能性を決定するために、前記処理システムは、
前記ＷＷＡＮサブフレームがアイドルであることを示す情報を受信するように構成される、請求項２３に記載の装置。
【請求項２５】
前記情報は、発展型ノードＢ（ｅＮＢ）または前記ｅＮＢと通信しているユーザ機器（ＵＥ）のうちの１つから受信される、請求項２４に記載の装置。
【請求項２６】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項２４に記載の装置。
【請求項２７】
前記ＷＷＡＮサブフレームの利用可能性を決定するために、前記処理システムは、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、請求項２３に記載の装置。
【請求項２８】
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記処理システムは、前記ピアツーピア通信が前記ＵＥへの干渉を引き起こすか否かに基づいて前記ダウンリンクサブフレームの使用が干渉を引き起こすか否かを決定する、請求項２７に記載の装置。
【請求項２９】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記処理システムは、前記ピアツーピア通信が前記ｅＮＢへの干渉を引き起こすか否かに基づいて前記アップリンクサブフレームの使用が干渉を引き起こすか否かを決定する、請求項２７に記載の装置。
【請求項３０】
前記ＷＷＡＮサブフレームおよび前記第２のＷＷＡＮサブフレームは、同一のＷＷＡＮサブフレームであり、前記処理システムは、前記決定されたエネルギーがしきい値を下まわるか否かに基づいて前記ＷＷＡＮサブフレームの使用が干渉を引き起こすか否かを決定する、請求項２７に記載の装置。
【請求項３１】
前記エネルギーは、前記ＷＷＡＮサブフレームにおけるリソースの第１のセットにおいて決定され、前記処理システムは、前記決定されたエネルギーが前記しきい値を下まわるか否かに基づいて、ピアツーピア通信のための前記ＷＷＡＮサブフレームにおけるリソースの第２のセットを使用することを決定するようにさらに構成される、請求項３０に記載の装置。
【請求項３２】
前記リソースの第１のセットは、直交周波数分割多重化（ＯＦＤＭ）シンボルの第１のセットであり、前記リソースの第２のセットは、ＯＦＤＭシンボルの第２のセットである、請求項３１に記載の装置。
【請求項３３】
前記ＯＦＤＭシンボルの第１のセットは、物理制御フォーマットインジケータ制御チャネル（ＰＣＦＩＣＨ）を備える第１のＯＦＤＭシンボルである、請求項３２に記載の装置。
【請求項３４】
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行うためのコードを備えるコンピュータ読取可能な媒体を備える、コンピュータプログラム製品。
【請求項３５】
前記ＷＷＡＮサブフレームの利用可能性を決定するためのコードは、
前記ＷＷＡＮサブフレームがアイドルであることを示す情報を受信するためのコードを備える、請求項３４に記載のコンピュータプログラム製品。
【請求項３６】
前記情報は、発展型ノードＢ（ｅＮＢ）または前記ｅＮＢと通信しているユーザ機器（ＵＥ）のうちの１つから受信される、請求項３５に記載のコンピュータプログラム製品。
【請求項３７】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項３５に記載のコンピュータプログラム製品。
【請求項３８】
前記ＷＷＡＮサブフレームの利用可能性を決定するためのコードは、
第２のＷＷＡＮサブフレームのエネルギーを決定することと、
前記第２のＷＷＡＮサブフレームの前記決定されたエネルギーに基づいて前記ＷＷＡＮサブフレームの使用がＷＷＡＮ通信への干渉を引き起こすか否かを決定することと、
を行うためのコードを備える、請求項３４に記載のコンピュータプログラム製品。
【請求項３９】
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項３８に記載のコンピュータプログラム製品。
【請求項４０】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項３８に記載のコンピュータプログラム製品。
【請求項４１】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項３８に記載のコンピュータプログラム製品。
【請求項４２】
前記エネルギーは、前記ＷＷＡＮサブフレームにおけるリソースの第１のセットにおいて決定され、前記コンピュータ読取可能な媒体は、前記決定されたエネルギーが前記しきい値を下まわるか否かに基づいて、ピアツーピア通信のための前記ＷＷＡＮサブフレームにおけるリソースの第２のセットを使用することを決定するためのコードをさらに備える、請求項４１に記載のコンピュータプログラム製品。
【請求項４３】
前記リソースの第１のセットは、直交周波数分割多重化（ＯＦＤＭ）シンボルの第１のセットであり、前記リソースの第２のセットは、ＯＦＤＭシンボルの第２のセットである、請求項４２に記載のコンピュータプログラム製品。
【請求項４４】
前記ＯＦＤＭシンボルの第１のセットは、物理制御フォーマットインジケータ制御チャネル（ＰＣＦＩＣＨ）を備える第１のＯＦＤＭシンボルである、請求項４３に記載のコンピュータプログラム製品。
【発明の詳細な説明】
【技術分野】
【０００１】
[0001]  本開示は、一般に通信システムに、より具体的には、広域ネットワークにおけるピアツーピアリンクのオポチュニスティックスケジューリングに関する。
【背景技術】
【０００２】
[0002]  電話通信、映像、データ、メッセージング、ブロードキャストといったさまざまな電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００３】
[0003]  これらの多元接続技術は、異なるワイヤレスデバイスに、市区町村レベル、国レベル、地方レベルだけでなく、世界的なレベルでの通信を可能にさせる、共通のプロトコルを提供するために、さまざまな電気通信規格に採用されている。台頭してきた電気通信規格の例は、ロングタームエボリューション（ＬＴＥ）である。ＬＴＥは、第３世代パートナシッププロジェクト（３ＧＰＰ）によって公表された、ユニバーサルモバイルテレコミュニケーションシステム（ＵＭＴＳ）モバイル規格を向上させたもののセットである。それは、スペクトル効率を改善すること、コストを下げること、サービスを改善すること、新たなスペクトルを利用すること、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープン規格に組み込むことによって、モバイルブロードバンドインターネットアクセスをより快適にサポートするように設計されている。しかしながら、モバイルブロードバンドアクセスの需要が増加し続けるのに伴い、ＬＴＥ技術にはさらなる改良が必要とされている。望ましくは、これらの改良は、これらの技術を用いるその他の多元接続技術および電気通信規格に適用可能であるべきである。
【発明の概要】
【０００４】
[0004]  ワイヤレス広域ネットワーク（ＷＷＡＮ）シナリオにおいて、モバイル端末間での通信は、モバイル端末と基地局（すなわち、ＷＷＡＮリンク）との間のアップリンク／ダウンリンクチャネルを通して容易にされる。しかしながら、さまざまなタイプのアプリケーションのために、少ない量の情報の頻繁な通信の効率的な手段が必要である。さらに、少ない量の情報の頻繁な通信が、大量のシグナリングオーバーヘッドを必要としない場合は、有利でありうる。これらの必要に応えるために、ピアモバイル端末またはデバイスは、既存のＷＷＡＮ通信の品質に影響を与えることなく、少ない量の情報を通信するための直接のピアツーピアリンクを確立しうる。本開示の態様では、ワイヤレス広域ネットワーク（ＷＷＡＮ）サブフレームの利用可能性が決定される方法、コンピュータプログラム製品、およびワイヤレス通信の装置が提供され、ＷＷＡＮサブフレームが利用可能な場合、ＷＷＡＮサブフレームがピアツーピア通信のために利用される。
【図面の簡単な説明】
【０００５】
【図１】図１は、ネットワークアーキテクチャの例を示す図である。
【図２】図２は、アクセスネットワークの例を示す図である。
【図３】図３は、ＬＴＥにおけるＤＬフレーム構造の例を示す図である。
【図４】図４は、ＬＴＥにおけるＵＬフレーム構造の例を示す図である。
【図５】図５は、ユーザおよび制御プレーンのための無線プロトコルアーキテクチャの例を示す図である。
【図６】図６は、アクセスネットワークにおける発展型ノードＢおよびユーザ機器の例を示す図である。
【図７】図７は、異種ネットワークにおいて範囲が拡張されたセルラ領域を示す図である。
【図８】図８は、ワイヤレス広域ネットワーク（ＷＷＡＮ）リンクを介して通信するピアデバイスを例示し、ピアデバイスによるアイドルＷＷＡＮサブフレームのオポチュニスティック使用を説明する図である。
【図９】図９は、ピアデバイス間のＷＷＡＮ通信によるＷＷＡＮリソースの占有を示す図である。
【図１０】図１０は、ＷＷＡＮリンクを介して通信するピアデバイスを示し、ＷＷＡＮリンクからの距離に依存するＷＷＡＮサブフレームのオポチュニスティックな使用を説明するための図である。
【図１１】図１１は、ピアデバイス間のＷＷＡＮ通信によるＷＷＡＮリソースの占有を示す図である。
【図１２】図１２は、ワイヤレス通信の方法のフローチャートである。
【図１３】図１３は、ワイヤレス通信の方法のフローチャートである。
【図１４】図１４は、典型的な装置における異なるモジュール／手段／コンポーネント間のデータフローを示す概念的データフロー図である。
【図１５】図１５は、処理システムを用いる装置のためのハードウェアのインプリメンテーションの例を示す図である。
【詳細な説明】
【０００６】
[0020]  添付の図面に関連して以下に述べられる詳細な説明は、さまざまな構成の説明を意図したものであり、本明細書において説明される概念が実現されうる、唯一の構成を表すことを意図したものではない。詳細な説明は、さまざまな概念の完全な理解を提供するために、具体的な詳細を含む。しかしながら、これらの概念がこれらの具体的な詳細なしに実現されうることが当業者にとって明らかになる。いくつかの例では、そのような概念をあいまいにすることを避けるために、周知の構造およびコンポーネントが、ブロック図の形態で示される。
【０００７】
[0021]  ここでは、電気通信システムのいくつかの態様が、さまざまな装置および方法に関連して提示される。これらの装置および方法は、以下の詳細な説明において説明され、添付の図面において、さまざまなブロック、モジュール、コンポーネント、回路、ステップ、処理、アルゴリズム等（集合的には「エレメント」と呼ばれる）により例示されている。これらのエレメントは、電子ハードウェア、コンピュータソフトウェア、またはこれらの任意の組み合わせを使用してインプリメントされうる。そのようなエレメントがハードウェアとしてインプリメントされるかソフトウェアとしてインプリメントされるかは、システム全体に課された特定の用途および設計の制約に依存する。
【０００８】
[0022]  例として、エレメント、またはエレメントの任意の一部、またはエレメントの任意の組み合わせは、１つまたは複数のプロセッサを含む「処理システム」でインプリメントされうる。プロセッサの例には、本開示を通して説明されるさまざまな機能を実行するように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および他の適切なハードウェアが含まれる。処理システムにおける１つまたは複数のプロセッサは、ソフトウェアを実行しうる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【０００９】
[0023]  したがって、１つまたは複数の典型的な実施形態では、説明された機能は、ハードウェア、ソフトウェア、ファームウェア、またはこれらの任意の組み合わせでインプリメントされうる。ソフトウェアでインプリメントされる場合、これらの機能は、コンピュータ読取可能な媒体上に、１つまたは複数の命令またはコードとして記憶されるか、あるいは１つまたは複数の命令またはコードとして符号化されうる。コンピュータ読取可能な媒体は、コンピュータ記憶媒体を含む。記憶媒体は、コンピュータによってアクセス可能な任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、もしくは命令あるいはデータ構造の形態で望ましいプログラムコードを搬送もしくは格納するために使用されることがありえ、コンピュータによってアクセス可能な任意の他の媒体を備えうる。ここで使用したようなディスク（ｄｉｓｋおよびｄｉｓｃ）は、コンパクトディスク（ｄｉｓｃ）（ＣＤ）、レーザーディスク（登録商標）（ｄｉｓｃ）、光ディスク（ｄｉｓｃ）、デジタル汎用ディスク（ｄｉｓｃ）（ＤＶＤ）、フロッピー（登録商標）ディスク（ｄｉｓｋ）、およびブルーレイ（登録商標）ディスク（ｄｉｓｃ）を含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取可能な媒体の範囲内に含まれるべきである。
【００１０】
[0024]  図１は、ＬＴＥネットワークアーキテクチャ１００を例示する図である。ＬＴＥネットワークアーキテクチャ１００は、発展型パケットシステム（ＥＰＳ：Evolved Packet System）１００と称されうる。ＥＰＳ１００は、1つまたは複数のユーザ機器（ＵＥ）１０２と、発展型ＵＭＴＳ地上無線アクセスネットワーク（Ｅ−ＵＴＲＡＮ）１０４と、発展型パケットコア（ＥＰＣ）１１０と、ホーム加入者サーバ（ＨＳＳ）１２０と、オペレータのＩＰサービス１２２とを含みうる。ＥＰＳは、他のアクセスネットワークと相互接続することができるが、簡潔化のために、それらのエンティティ／インターフェースは図示しない。図示されているように、ＥＰＳはパケット交換サービスを提供するが、当業者が容易に理解するように、本開示全体を通して提示されるさまざまな概念は、回路交換サービスを提供するネットワークに拡張されることができる。
【００１１】
[0025]  Ｅ−ＵＴＲＡＮは、発展型ノードＢ（ｅＮＢ）１０６および他のｅＮＢ １０８を含む。ｅＮＢ １０６は、ＵＥ １０２に対するユーザおよび制御プレーンプロトコルターミネーションを提供する。ｅＮＢ １０６は、Ｘ２インターフェース（例えば、バックホール）を介して、他のｅＮＢ １０８に接続されうる。ｅＮＢ １０６はまた、基地局、基地トランシーバ局、無線基地局、無線トランシーバ、トランシーバ機能、ベーシックサービスセット（ＢＳＳ：basic service set）、拡張サービスセット（ＥＳＳ：extended service set）、または何らかの他の適切な専門用語で称されうる。ｅＮＢ １０６は、ＵＥ １０２のためのＥＰＣ １１０へのアクセスポイントを提供する。ＵＥ １０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（例えば、ＭＰ３プレイヤ）、カメラ、ゲーム機器、または任意の他の同様の機能を有するデバイスを含む。ＵＥ １０２は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、あるいはその他適切な用語でも称されうる。
【００１２】
[0026]  ｅＮＢ １０６は、Ｓ１インターフェースによってＥＰＣ １１０に接続される。ＥＰＣ １１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ １１２は、ＵＥ １０２とＥＰＣ １１０との間のシグナリングを処理する制御ノードである。一般に、ＭＭＥ １１２はベアラおよび接続管理を提供する。全てのユーザＩＰパケットは、自身がＰＤＮゲートウェイ１１８に接続されたサービングゲートウェイ１１６を通して転送される。ＰＤＮゲートウェイ１１８は、ＵＥ ＩＰアドレス割当てだけでなく、その他の機能も提供する。ＰＤＮゲートウェイ１１８は、オペレータのＩＰサービス１２２に接続される。オペレータのＩＰサービス１２２は、インターネットと、イントラネットと、ＩＰマルチメディアサブシステム（ＩＭＳ）と、ＰＳストリーミングサービス（ＰＳＳ）とを含みうる。
【００１３】
[0027]  図２は、ＬＴＥネットワークアーキテクチャにおけるアクセスネットワーク２００の例を示す図である。この例では、アクセスネットワーク２００が、多数のセルラ領域（セル）２０２に分割されている。より低い電力クラスの１つまたは複数のｅＮＢ ２０８は、セル２０２のうちの１つまたは複数と重複するセルラ領域２１０を有しうる。より低い電力クラスのｅＮＢ ２０８は、遠隔ラジオヘッド（ＲＲＨ）と称されうる。より低い電力クラスのｅＮＢ ２０８は、フェムトセル（例えば、ホームｅＮＢ（ＨｅＮＢ））、ピコセル、またはマイクロセルでありうる。マクロｅＮＢ ２０４は、それぞれセル２０２に別々に割り当てられ、セル２０２内のＵＥ ２０６すべてのために、ＥＰＣ１１０にアクセスポイントを提供するように構成される。アクセスネットワーク２００のこの例には集中コントローラが存在しないが、代替の構成では、集中コントローラが使用されうる。ｅＮＢ ２０４は、無線ベアラ制御、アドミッション制御、モビリティ制御、スケジューリング、セキュリティ、およびサービングゲートウェイ１１６への接続性を含む、無線関連のすべての機能を担当する。
【００１４】
[0028]  アクセスネットワーク２００によって用いられる変調および多元接続スキームは、展開されている特定の電気通信規格に依存して異なりうる。ＬＴＥの応用例では、周波数分割複信（ＦＤＤ）および時分割複信（ＴＤＤ）の両方をサポートするために、ＯＦＤＭがＤＬに使用され、ＳＣ−ＦＤＭＡがＵＬに使用される。以下の詳細な説明から当業者が容易に理解するように、本明細書に提示されるさまざまな概念は、ＬＴＥの応用例によく適している。しかしながら、これらの概念は、その他の変調および多元接続技術を用いたその他の電気通信規格にまで容易に拡張されうる。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張されうる。ＥＶ−ＤＯおよびＵＭＢは、ＣＤＭＡ２０００ファミリー規格の一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他のさまざまな変形例を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ＩＥＥＥ ８０２．１１（Ｗｉ−Ｆｉ）、ＩＥＥＥ ８０２．１６（ＷｉＭＡＸ）、ＩＥＥＥ ８０２．２０、およびフラッシュＯＦＤＭに拡張されることもありうる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際のワイヤレス通信規格および多元接続技術は、システムに課された特定の用途および全体的な設計の制約に依存するだろう。
【００１５】
[0029]  ｅＮＢ ２０４は、ＭＩＭＯ技術をサポートする複数のアンテナを有しうる。ＭＩＭＯ技術の使用は、ｅＮＢ ２０４に、空間領域を利用して、空間多重、ビームフォーミング、および送信ダイバーシチをサポートすることを可能にさせる。空間多重化は、同じ周波数上で同時に異なるデータストリームを送信するために使用されうる。それらのデータストリームは、データレートを増すために単一のＵＥ ２０６に、または、全システム容量を増加させるために複数のＵＥ ２０６に、送信されうる。これは各データストリームを空間的にプリコーディングし（すなわち、振幅および位相のスケーリングを適用し）、その後、ＤＬ上の複数の送信アンテナを通じてそれぞれの空間的にプリコーディングされたストリームを送信することによって達成される。空間的にプリコーディングされたデータストリームは、異なる空間シグネチャとともにＵＥ ２０６（複数を含む）へと到達し、それは、ＵＥ ２０６（複数を含む）の各々に、そのＵＥ ２０６に宛てられた１つまたは複数のデータストリームを復元することを可能にさせる。ＵＬ上では、各ＵＥ ２０６は、空間的にプリコーディングされたデータストリームを送信し、それは、ｅＮＢ ２０４に、空間的にプリコーティングされた各データストリームのソースを識別することを可能にさせる。
【００１６】
[0030]  空間多重は一般的に、チャネル状況が良好な場合に使用される。チャネル状況がさほど良好でない場合には、ビームフォーミングが使用され、１つまたは複数の方向に送信エネルギーを集中させるために使用されうる。これは、複数のアンテナを通る送信のためにデータを空間的にプリコーディングすることによって、達成されうる。セルの端において優れたカバレッジを達成するために、単一ストリームのビームフォーミング送信が送信ダイバーシチと組み合わせて使用されうる。
【００１７】
[0031]  以下の詳細な説明では、アクセスネットワークのさまざまな態様が、ＤＬにおいてＯＦＤＭをサポートするＭＩＭＯシステムに関連して説明される。ＯＦＤＭは、ＯＦＤＭシンボル内の多数のサブキャリアにわたってデータを変調するスペクトル拡散技術である。これらのサブキャリアは、精確な周波数間隔があけられている。この間隔は、これらのサブキャリアからのデータの復元を受信機に可能にさせる、「直交性」を提供する。時間領域では、ＯＦＤＭシンボル間干渉を抑制するために、各ＯＦＤＭシンボルにガードインターバル（例えば、サイクリックプリフィクス）が追加されうる。ＵＬは、高いピーク対平均電力比（ＰＡＰＲ：peak-to-average power ratio）を補償するために、ＤＦＴ拡散ＯＦＤＭ信号の形態でＳＣ−ＦＤＭＡを使用しうる。
【００１８】
[0032]  図３は、ＬＴＥにおけるＤＬフレーム構造の例を示すブロック図３００である。フレーム（１０ ｍｓ）が、１０個の等しいサイズのサブフレームに分割されうる。各サブフレームは、２個の連続する（consecutive）タイムスロットを含みうる。２個のタイムスロットを表すためにリソースグリッドが使用されることがありえ、各タイムスロットは、リソースブロックを含む。リソースグリッドは、複数のリソースエレメントに分割される。ＬＴＥでは、１つのリソースブロックは、周波数領域における１２個の連続するサブキャリアと、各ＯＦＤＭシンボルに１つのノーマルなサイクリックプリフィクスの場合、時間領域における７個の連続するＯＦＤＭシンボルとを含み、すなわち、８４個のリソースエレメントを含む。拡張されたサイクリックプリフィクスについて、リソースブロックは、時間領域における６個の連続するＯＦＤＭシンボルを含み、７２個のリソースエレメントを有する。リソースエレメントのうちのいくつかは、Ｒ ３０２、３０４として示されているように、ＤＬ基準信号（ＤＬ−ＲＳ）を含む。ＤＬ−ＲＳは、セル固有のＲＳ（ＣＲＳ：Cell-specific RS）（共通ＲＳと呼ばれることもある）３０２と、ＵＥ固有のＲＳ（ＵＥ−ＲＳ：ＵＥ-specific RS）３０４とを含む。ＵＥ−ＲＳ ３０４は、対応する物理ＤＬ共有チャネル（ＰＤＳＣＨ：physical downlink shared channel）がマッピングされたリソースブロック上のみで送信される。各リソースエレメントによって搬送されるビット数は、変調スキームに依存する。したがって、ＵＥが受信するリソースブロックが多いほど、また、変調スキームが高度であるほど、そのＵＥのためのデータレートは高くなる。
【００１９】
[0033]  図４は、ＬＴＥにおけるＵＬフレーム構造の例を示す図４００である。ＵＬのために利用可能なリソースブロックは、データセクションと制御セクションとに分割されることができる。制御セクションは、システム帯域幅の両端に形成されることがありえ、構造化可能なサイズを有しうる。制御セクションにおけるリソースブロックは、制御情報の送信のためにＵＥに割り当てられうる。データセクションは、制御セクションに含まれないすべてのリソースブロックを含みうる。ＵＬフレーム構造は、隣接する（contiguous）サブキャリアを含むデータセクションをもたらし、これは、単一のＵＥにデータセクションにおける隣接するすべてのサブキャリアが割り当てられることを可能にしうる。
【００２０】
[0034]  あるＵＥは、ｅＮＢに制御情報を送信するために、制御セクションにおけるリソースブロック４１０ａ、４１０ｂを割り当てられうる。このＵＥはまた、ｅＮＢにデータを送信するために、データセクションにおけるリソースブロック４２０ａ、４２０ｂを割り当てられうる。このＵＥは、制御セクションにおける割り当てられたリソースブロック上で、物理ＵＬ制御チャネル（ＰＵＣＣＨ：physical uplink control channel）において、制御情報を送信しうる。このＵＥは、データセクションにおいて割り当てられたリソースブロック上で、物理ＵＬ共有チャネル（ＰＵＳＣＨ：physical uplink shared channel）において、データのみ、またはデータと制御情報の両方を送信しうる。ＵＬ送信は、１サブフレーム中の両スロットにわたることができ、周波数にわたってホッピング（hop）することができる。
【００２１】
[0035]  物理ランダムアクセスチャネル（ＰＲＡＣＨ：physical random access channel）４３０において、リソースブロックのセットは、初期システムアクセスを実行し、ＵＬの同期を達成するために使用されうる。ＰＲＡＣＨ ４３０は、ランダムシーケンスを搬送するが、任意のＵＬデータ／シグナリングを搬送することはできない。各ランダムアクセスプリアンブルは、連続する６個のリソースブロックに対応する帯域幅を占有する。開始周波数は、ネットワークによって特定される。すなわち、ランダムアクセスプリアンブルの送信は、ある特定の時間および周波数リソースに限られる。ＰＲＡＣＨ用にホッピングする周波数はない。ＰＲＡＣＨの試みは、単一のサブフレーム（１ ｍｓ）において、またはいくつかの隣接するサブフレームのシーケンスにおいて搬送され、ＵＥは、１フレーム（１０ ｍｓ）につき１つのみのＰＲＡＣＨの試みを行いうる。
【００２２】
[0036]  図５は、ＬＴＥにおけるユーザおよび制御プレーンのための無線プロトコルアーキテクチャの例を示す図５００である。ＵＥおよびｅＮＢのための無線プロトコルアーキテクチャは、レイヤ１、レイヤ２、およびレイヤ３の３つの層で表示される。レイヤ１（Ｌ１レイヤ）は、最下位のレイヤであり、物理レイヤのさまざまな信号処理機能をインプリメントする。Ｌ１レイヤは、本明細書において物理レイヤ５０６と称されうる。レイヤ２（Ｌ２レイヤ）５０８は、物理レイヤ５０６よりも上位であり、物理レイヤ５０６を介したＵＥとｅＮＢとの間のリンクを担当する。
【００２３】
[0037]  ユーザプレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケットデータコンバージェンスプロトコル（ＰＤＣＰ：packet data convergence protocol）５１４サブレイヤを含み、それらは、ネットワーク側のｅＮＢで終端する。示されていないが、ＵＥは、ネットワーク側のＰＤＮゲートウェイ１１８で終端するネットワークレイヤ（例えば、ＩＰレイヤ）や、接続の他端（例えば、遠端のＵＥ、サーバ、等）で終端するアプリケーションレイヤを含む、Ｌ２レイヤ５０８よりも上の、いくつかの上位レイヤを有しうる。
【００２４】
[0038]  ＰＤＣＰサブレイヤ５１４は、異なる無線ベアラと論理チャネルとの間での多重化を提供する。ＰＤＣＰサブレイヤ５１４はまた、無線送信のオーバーヘッドを低減させるために上位レイヤのデータパケットのヘッダの圧縮を提供し、それらのデータパケットを暗号化することによってセキュリティを提供し、ｅＮＢ間でのＵＥのハンドオーバーのサポートを提供する。ＲＬＣサブレイヤ５１２は、上位レイヤのデータパケットのセグメンテーションおよびリアセンブリと、損失データパケットの再送と、ハイブリッド自動再送要求（ＨＡＲＱ）のため順序が乱れた受信を補償するためのデータパケットの並び替えと、を提供する。ＭＡＣサブレイヤ５１０は、論理チャネルとトランスポートチャネルとの間の多重化を提供する。ＭＡＣサブレイヤ５１０はまた、１つのセルにおけるさまざまな無線リソース（例えば、リソースブロック）のＵＥ間での割り当てを担当する。ＭＡＣサブレイヤ５１０はまた、ＨＡＲＱ演算を担当する。
【００２５】
[0039]  制御プレーンにおいて、ＵＥおよびｅＮＢのための無線プロトコルアーキテクチャは、制御プレーンのためのヘッダ圧縮機能がないという点を除き、物理レイヤ５０６およびＬ２レイヤ５０８の場合と実質的に同じである。制御プレーンはまた、レイヤ３（L３レイヤ）における無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担当する。
【００２６】
[0040]  図６は、アクセスネットワークにおいてＵＥ ６５０と通信するｅＮＢ ６１０のブロック図である。ＤＬにおいて、コアネットワークから、上位レイヤのパケットが、コントローラ／プロセッサ６７５に提供される。コントローラ／プロセッサ６７５は、Ｌ２レイヤの機能をインプリメントする。ＤＬにおいて、コントローラ／プロセッサ６７５は、ヘッダの圧縮、暗号化、パケットのセグメンテーションおよび並び替え、論理チャネルとトランスポートチャネルとの間での多重化、さまざまな優先順位メトリックに基づいたＵＥ ６５０に対する無線リソースの割り当てを提供する。コントローラ／プロセッサ６７５はまた、ＨＡＲＱ演算、損失パケットの再送、ＵＥ ６５０へのシグナリングを担当する。
【００２７】
[0041]  送信（ＴＸ）プロセッサ６１６は、Ｌ１レイヤ（すなわち、物理レイヤ）のためのさまざまな信号処理機能をインプリメントする。これらの信号処理機能は、ＵＥ ６５０における前方誤り訂正（ＦＥＣ：forward error correction）を容易にするように符号化およびインターリーブすることと、さまざまな変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて、信号コンステレーションにマッピングすることとを含む。符号化された、ならびに変調されたシンボルは、その後並行なストリームに分けられる。各ストリームは、その後ＯＦＤＭサブキャリアにマッピングされ、時間領域および／または周波数領域において基準信号（例えば、パイロット）とともに多重化され、その後、逆高速フーリエ変換（ＩＦＦＴ）を使用してともに合成され、時間領域のＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、符号化および変調スキームの決定だけでなく、空間処理のために使用されうる。チャネル推定値は、ＵＥ ６５０によって送信された基準信号および／またはチャネル状況のフィードバックから導出されうる。各空間ストリームは、その後別個の送信機６１８ＴＸを介して異なるアンテナ６２０に提供される。各送信機６１８ＴＸは、ＲＦキャリアを、送信されるそれぞれの空間ストリームを用いて変調する。
【００２８】
[0042]  ＵＥ ６５０において、各受信機６５４ＲＸは、そのそれぞれのアンテナ６５２を通して、信号を受信する。各受信機６５４ＲＸは、ＲＦキャリア上に変調された情報を復元し、受信機（ＲＸ）プロセッサ６５６にその情報を提供する。ＲＸプロセッサ６５６はＬ１レイヤのさまざまな信号処理機能をインプリメントする。ＲＸプロセッサ６５６は、ＵＥ ６５０に宛てられた任意の空間ストリームを復元するために、その情報に対し空間処理を実行する。複数の空間ストリームがＵＥ ６５０に宛てられている場合、それらは、ＲＸプロセッサ６５６によって単一のＯＦＤＭシンボルストリームに組み合わされうる。ＲＸプロセッサ６５６は、その後高速フーリエ変換（ＦＦＴ）を使用して、そのＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリアにおけるシンボル、および基準信号は、ｅＮＢ ６１０によって送信された最も確からしい信号コンステレーションポイントを決定することによって、復元および復調される。これらの軟判定は、チャネル推定器６５８によって計算されたチャネル推定値に基づきうる。これらの軟判定は、その後物理チャネルにおいてｅＮＢ ６１０により元々送信されたデータおよび制御信号を復元するために、復号およびデインターリーブされる。データおよび制御信号は、その後コントローラ／プロセッサ６５９に提供される。
【００２９】
[0043]  コントローラ／プロセッサ６５９は、Ｌ２レイヤをインプリメントする。コントローラ／プロセッサは、プログラムコードおよびデータを記憶するメモリ６６０と関連付けられうる。メモリ６６０は、コンピュータ読取可能な媒体と称されうる。ＵＬにおいて、コントローラ／プロセッサ６５９は、トランスポートチャネルと論理チャネルとの間でのデマルチプレクシング、パケットのリアセンブリ、解読、ヘッダの圧縮解除、制御信号処理を提供し、コアネットワークからの上位レイヤパケットを復元する。上位レイヤパケットは、その後データシンク６６２に提供され、これは、Ｌ２レイヤより上位のすべてのプロトコルレイヤを表す。さまざまな制御信号もまた、Ｌ３処理のために、データシンク６６２に提供されうる。コントローラ／プロセッサ６５９はまた、ＨＡＲＱ演算をサポートするために、肯定応答（ＡＣＫ）および／または否定応答（ＮＡＣＫ）プロトコルを使用した誤り検出を担当する。
【００３０】
[0044]  ＵＬでは、データソース６６７は、コントローラ／プロセッサ６５９に上位レイヤパケットを提供するために使用される。データソース６６７は、Ｌ２レイヤより上位のすべてのプロトコルレイヤを表す。ｅＮＢ ６１０によるＤＬ送信に関連して説明された機能と同様に、コントローラ／プロセッサ６５９は、ヘッダの圧縮、暗号化、パケットのセグメンテーションと並び替え、およびｅＮＢ ６１０による無線リソースの割り当てに基づいた論理チャネルとトランスポートチャネルとの間での多重化を提供することによって、ユーザプレーンおよび制御プレーンのためのＬ２レイヤをインプリメントする。コントローラ／プロセッサ６５９はまた、ＨＡＲＱ演算、損失パケットの再送、ｅＮＢ ６１０へのシグナリングを担当する。
【００３１】
[0045]  ｅＮＢ ６１０によって送信された基準信号またはフィードバックからチャネル推定器６５８によって導出されたチャネル推定値は、適切な符号化および変調スキームを選択し、空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、ＲＦキャリアを、送信されるそれぞれの空間ストリームによって変調する。
【００３２】
[0046]  ＵＬ送信は、ＵＥ ６５０における受信機機能に関連して説明された手法と同様の手法により、ｅＮＢ ６１０において処理される。各受信機６１８ＲＸは、そのそれぞれのアンテナ６２０を通して、信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤをインプリメントしうる。
【００３３】
[0047]  コントローラ／プロセッサ６７５は、Ｌ２レイヤをインプリメントする。コントローラ／プロセッサ６７５は、プログラムコードおよびデータを記憶するメモリ６７６に関係付けられうる。メモリ６７６は、コンピュータ読取可能な媒体と称されうる。ＵＬにおいて、コントローラ／プロセッサ６７５は、トランスポートチャネルと論理チャネルとの間でのデマルチプレクシング、パケットのリアセンブリ、解読（deciphering）、ヘッダの圧縮解除、制御信号処理を提供し、ＵＥ ６５０からの上位レイヤパケットを復元する。コントローラ／プロセッサ６７５からの上位レイヤパケットは、コアネットワークに提供されうる。コントローラ／プロセッサ６７５はまた、ＨＡＲＱ演算をサポートするために、ＡＣＫおよび／またはＮＡＣＫプロトコルを使用する誤り検出を担当する。
【００３４】
[0048]  図７は、異種ネットワークにおける、範囲が拡張されたセルラ領域を例示する図７００である。ＲＲＨ ７１０ｂなどのより低い電力クラスのｅＮＢは、ＲＲＨ ７１０ｂとマクロｅＮＢ ７１０ａとの間の強化された（enhanced）セル間干渉協調を通し、また、ＵＥ ７２０によって実行された干渉除去を通して、セルラ領域７０２から拡張された、範囲が拡張されたセルラ領域７０３を有しうる。強化されたセル間干渉協調では、ＲＲＨ ７１０ｂは、ＵＥ ７２０の干渉状況に関するマクロｅＮＢ ７１０ａから情報を受信する。この情報は、ＲＲＨ ７１０ｂに、ＵＥ ７２０が、範囲が拡張されたセルラ領域７０３に入ると、範囲が拡張されたセルラ領域７０３におけるＵＥ ７２０にサービス提供することと、マクロｅＮＢ ７１０ａからＵＥ ７２０のハンドオフを受け入れることを可能にする。
【００３５】
[0049]  ワイヤレス広域ネットワーク（ＷＷＡＮ）シナリオにおいて、モバイル端末間での通信は、モバイル端末と基地局（すなわち、ＷＷＡＮリンク）との間のアップリンク／ダウンリンクチャネルを通して容易にされる。ソーシャルネットワーキングアプリケーションのような、さまざまなタイプのアプリケーションのために、例えば、比較的少ない量の位置アップデート情報が、効果的な手法で比較的頻繁に通信されることが必要である。したがって、ワイヤレス通信システムにおける少ない量の情報を頻繁に通信する効果的な手段の必要性がある。さらに、少ない量の情報の頻繁な通信が、大量のシグナリングオーバーヘッドを必要としない場合は、有利でありうる。２つの通信しているモバイル端末が、互いの付近にあるケースでは、基地局を通り抜けることのない直接のピアツーピア通信は、少ない量の情報の頻繁な通信を容易にしうる。したがって、ＷＷＡＮリンクおよびピアツーピアリンクの間のスケジューリングメカニズムの必要性もある。
【００３６】
[0050]  ピアモバイル端末またはデバイスは、既存のＷＷＡＮ通信の品質に影響を与えることなく、ダイレクトピアツーピアリンクを確立しうる。これは、効果的に少ない量の情報を比較的頻繁にワイヤレス通信システムにおいて通信することによく適しており、かつ既存のＷＷＡＮ通信の品質に影響を与えることのない、オポチュニスティックに（opportunistically）ピアツーピアリンクを確立することによって達成されうる。
【００３７】
[0051]  ある態様では、ＷＷＡＮリンクが音声通信のために使用されるような場合などの、ＷＷＡＮリンクがすべてのサブフレームを占有する場合、例えば、ピアツーピアリンクは、ＷＷＡＮ通信に影響を与えることなく、アイドルＷＷＡＮサブフレームにおいてスケジュールされうる。アイドルＷＷＡＮサブフレームは、以下に説明されるように、多数の手法で示されうる。説明される方法を使用して、ピアデバイスは、ピアツーピア通信のために使用するために、アイドルＷＷＡＮサブフレームを決定しうる。
【００３８】
[0052]  例えば、ＬＴＥダウンリンクにおいて、物理ダウンリンク共有チャネル（ＰＤＳＣＨ）は、ユニキャストデータ送信のため、また、ページング情報を送信するために、使用される物理チャネルである。物理ダウンリンク制御チャネル（ＰＤＣＣＨ）は、ＰＵＳＣＨの送信を可能にするスケジューリング許可のため、およびＰＤＳＣＨの受信のために必要とされる、スケジューリング決定などの、ダウンリンク制御情報を送るために使用される。さらに、物理制御フォーマットインジケータチャネル（ＰＣＦＩＣＨ）は、端末にＰＤＣＣＨを復号するために必要な情報を提供するチャネルである。ｅＮＢがサブフレームがアイドルになると決定する場合、つまりＰＤＣＣＨおよびＰＤＳＣＨが送られない場合には、ｅＮＢはＰＤＣＣＨおよび／またはＰＤＳＣＨに関連したＰＣＦＩＣＨ信号を送らない。
【００３９】
[0053]  したがって、サブフレームの第１のシンボルにおけるピアデバイスがＰＣＦＩＣＨ信号を検出しない場合、ピアデバイスは、進行中の（current）ダウンリンクサブフレームは、ＬＴＥダウンリンク送信のために使用されていないと決定しうる。ピアデバイスは、その後ピアツーピア通信のためにサブフレームの残りのシンボルを使用しうる。
【００４０】
[0054]  別の例では、ｅＮＢは、複数のシステム情報ブロック（ＳＩＢ）メッセージのうちの１つにおいてアイドルサブフレームの位置をブロードキャストしうる。ピアデバイスがアイドルサブフレームを知ると、ピアデバイスは、ピアツーピア通信のためにアイドルサブフレームを使用しうる。
【００４１】
[0055]  さらなる例では、ｅＮＢは、進行中のサブフレームがアイドルであると示すため、または特定のアップリンクサブフレームがアイドルであると示すために、ＰＤＣＣＨにおいてメッセージをブロードキャストしうる。このメッセージは、全てのデバイスに知られている無線ネットワーク一時識別子（ＲＮＴＩ： radio network temporary identifier)によってスクランブルされうる。別の例では、アイドルサブフレームは、ｅＮＢからの無線リソース制御（ＲＲＣ)シグナリングを介して示されうる。
【００４２】
[0056]  図８は、ＷＷＡＮリンクを介して通信するピアデバイスを示し、ピアデバイスによるアイドルＷＷＡＮサブフレームのオポチュニスティック使用を説明するための図８００である。図９は、図８のピアデバイス間のＷＷＡＮ通信によるＷＷＡＮリソースの占有を示す図９００である。図８および図９、および上述の例を参照すると、ピアデバイスは、ピアツーピア通信のために使用されるために、アイドルＷＷＡＮサブフレームを決定しうる。
【００４３】
[0057]  図８を参照すると、デバイスＡおよびＢは、ＷＷＡＮを通る互い間（すなわち、デバイスＡおよびＢ間のＷＷＡＮリンク）の音声通信を確立し、デバイスＣおよびＤは、ＷＷＡＮを通る互い間（すなわち、デバイスＣおよびＤ間のＷＷＡＮリンク）の音声通信を確立している。図９を参照すると、サブフレーム５および１３におけるＷＷＡＮリソースは、例えば、デバイスＡおよびＢ間（ＡからＢへのリンク）のＷＷＡＮ通信を容易にするために、占有され／利用されうる。さらに、サブフレーム４および９におけるＷＷＡＮリソースは、例えば、デバイスＣおよびＤ間（ＣからＤへのリンク）のＷＷＡＮ通信を容易にするために、占有され／利用されうる。
【００４４】
[0058]  ピアデバイスＡ、Ｂ、Ｃ、またはＤのいずれかが、上述された例のいずれかを介して、アイドルＷＷＡＮサブフレーム（例えば、図９のサブフレーム０、１、２、３、６、７、８、１０、１１、または１２）を示すブロードキャスト信号を受信する場合、ピアデバイスは、基地局またはｅＮＢを巻き込む（involve）ことなく、対応するピアデバイスと直接のピアツーピア通信を行なうために、アイドルＷＷＡＮサブフレームをオポチュニスティックに使用しうる。例えば、デバイスＡがアイドルＷＷＡＮサブフレームを知る場合、デバイスＡは、アイドルＷＷＡＮサブフレームを使用して、デバイスＡおよびＢ間のＷＷＡＮリンクの外部で、デバイスＢと直接通信（ピアツーピアリンク）しうる。同様に、デバイスＤがアイドルＷＷＡＮサブフレームを知る場合、デバイスＤは、アイドルＷＷＡＮサブフレームを使用して、デバイスＣおよびＤ間のＷＷＡＮリンクの外部で、デバイスＣと直接通信（ピアツーピアリンク）しうる。
【００４５】
[0059]  図１０は、ＷＷＡＮリンクを介して通信するピアデバイスを示し、ＷＷＡＮリンクからの距離に依存するＷＷＡＮサブフレームのオポチュニスティックな使用を説明する図１０００である。図１１は、図１０におけるデバイスＥおよびＦ間のＷＷＡＮ通信によるＷＷＡＮリソースの占有を示す図１１００である。図１０および図１１を参照すると、ピアツーピアリンクによって引き起こされた干渉が最小限になるような、ピアツーピアリンクがＷＷＡＮリンクから遠く離れて存在する場合、ピアツーピアリンクは、ＷＷＡＮリンクによって占有され／利用される同一のＷＷＡＮサブフレームを使用してスケジュールされうる。ＦｌａｓｈＬｉｎＱ接続スケジューリングアルゴリズム（Flash LinQ connection scheduling）は、ピアツーピアリンクが、例えば、ＷＷＡＮリンクへの干渉を引き起こすか否かを決定するために使用されうる。
【００４６】
[0060]  さらに詳細には、図１０を参照すると、デバイスＥおよびＦは、ＷＷＡＮを通る音声通信（すなわち、デバイスＥおよびＦ間のＷＷＡＮリンク）を確立している。図１１を参照すると、サブフレーム５および１３におけるＷＷＡＮリソースは、例えば、デバイスＥおよびＦ間（ＥからＦへのリンク）のＷＷＡＮ通信を容易にするために、占有され／利用されうる。図１０および図１１を参照すると、ピアデバイスＧおよびＨは、互いでの直接の通信（すなわち、ピアツーピアリンク）を確立することを望みうる。デバイスＧが地理的にデバイスＦの近くにあるため、デバイスＧおよびＨ間の直接のピアツーピア通信は、デバイスＥおよびＦ間の既存のＷＷＡＮ通信の品質に影響を与えることなく、ＥからＦへのリンクによって使用されないＷＷＡＮサブフレームにおいて容易にされうる。例えば、図１１に表されるように、ＥからＦへのリンクによって使用されないサブフレーム０、１、２、３、４、６、７、８、９、１０、１１、または１２は、互い間の直接のピアツーピアリンクを確立するためにデバイスＧおよびＨによって使用されうる。そうすることは、サブフレーム５および１３が使用するデバイスＥおよびＦ間のＷＷＡＮ通信の品質に影響を与えない。
【００４７】
[0061]  さらに、図１０を参照すると、ピアデバイスＩおよびＪはまた、互い間の直接の通信を確立することを望み、デバイスＩおよびＪは、地理的にデバイスＥおよびＦから遠くに存在する。デバイスＩおよびＪが、デバイスＩおよびＪ間のピアツーピアリンクがデバイスＥおよびＦ間のＷＷＡＮリンクへの干渉を引き起こさないようなデバイスＥおよびＦから十分に距離が離れている場合には、デバイスＩおよびＪ間の直接のピアツーピアリンクは、ＥからＦへのリンクによって使用されていないＷＷＡＮサブフレームを介して容易にされうるだけでなく、デバイスＥおよびＦ間のＷＷＡＮリンクによって使用されるＷＷＡＮサブフレームを介しても容易にされうる。
【００４８】
[0062]  例えば、図１１に表されるように、ＥからＦへのリンクによって使用されていないサブフレーム０、１、２、３、４、６、７、８、９、１０、１１、または１２は、デバイスＩおよびＪによって互い間の直接のピアツーピアリンクを確立するために使用されうる。さらに、ＷＷＡＮ通信のためにデバイスＥおよびＦによって使用されるサブフレーム５および１３はまた、デバイスＩおよびＪ間のピアツーピアリンクがデバイスＥおよびＦ間のＷＷＡＮ通信の品質に影響を与えない限り、デバイスＩおよびＪによって互い間の直接のピアツーピアリンクを確立するために使用されうる。ＦｌａｓｈＬｉｎＱ接続スケジューリングアルゴリズムは、デバイスＩおよびＪ間のピアツーピアリンクが、例えば、デバイスＥおよびＦ間のＷＷＡＮリンクへの干渉を引き起こすか否かを決定するために使用されうる。
【００４９】
[0063]  図１２は、ワイヤレス通信の方法のフローチャート１２００である。この方法は、ワイヤレスデバイスによって実行されうる。図１２において表されるように、ステップ１２０２において、ワイヤレスデバイスは、アイドルＷＷＡＮサブフレームを示す情報を受信する。この情報は、ｅＮＢと通信するＵＥまたはｅＮＢから受信されうる。上記に説明されるように、この情報は、多数の手法でワイヤレスデバイスへ搬送されうる。例えば、ワイヤレスデバイスがＷＷＡＮサブフレームの第１のシンボルにおいてＰＣＦＩＣＨ信号を検出しない場合には、ワイヤレスデバイスは、ＷＷＡＮサブフレームがダウンリンク送信のために使用されておらず、したがって、アイドルＷＷＡＮサブフレームであると決定しうる。他の例では、ｅＮＢは、システム情報ブロック（ＳＩＢ）メッセージにおいてアイドルＷＷＡＮサブフレームの位置をブロードキャストすることがありえ、ＷＷＡＮサブフレームがアイドルであることを示すためにＰＤＣＣＨにおいてメッセージをブロードキャストすることがありえ、または、無線リソース制御（ＲＲＣ）シグナリングを介してアイドルＷＷＡＮサブフレームを示しうる。
【００５０】
[0064]  アイドルＷＷＡＮサブフレームを示す情報がステップ１２０２で受信された後、ステップ１２０４では、ワイヤレスデバイスは、ピアツーピア通信を容易にするためのＷＷＡＮサブフレームの利用可能性を決定する。ステップ１２０６では、ワイヤレスデバイスは、ＷＷＡＮサブフレームの利用可能性を決定することを支援するために、第２のＷＷＡＮサブフレームのエネルギーを決定する。ステップ１２０８では、第２のＷＷＡＮサブフレームの決定されたエネルギーに基づいて、ワイヤレスデバイスは、ＷＷＡＮサブフレームの使用が第２のＷＷＡＮサブフレームを介して容易にされるＷＷＡＮ通信への干渉を引き起こすか否かを決定する。ＷＷＡＮサブフレームの使用が、ＷＷＡＮ通信への干渉を引き起こさないと決定された場合には、ワイヤレスデバイスは、ＷＷＡＮサブフレームが利用可能であると決定する。
【００５１】
[0065]  例えば、ＷＷＡＮサブフレームは、ダウンリンクサブフレームでありえ、第２のＷＷＡＮサブフレームは、アップリンクサブフレームでありえ、ワイヤレスデバイスは、ＵＥのアップリンク送信から第２のＷＷＡＮサブフレームのエネルギーを決定しうる。したがって、ワイヤレスデバイスは、ダウンリンクサブフレームの使用が、ピアツーピア通信がＵＥへ干渉を引き起こすか否かに基づいて、干渉を引き起こしうるか否かを決定しうる。ピアツーピア通信がＵＥへの干渉を引き起こさない場合には、ワイヤレスデバイスは、ダウンリンクサブフレームがピアツーピア通信のために利用可能になることを決定する。
【００５２】
[0066]  別の例では、ＷＷＡＮサブフレームは、アップリンクサブフレームでありえ、第２のＷＷＡＮサブフレームは、ダウンリンクサブフレームでありえ、ワイヤレスデバイスは、ｅＮＢからのダウンリンク送信から第２のＷＷＡＮサブフレームのエネルギーを決定しうる。したがって、ワイヤレスデバイスは、ピアツーピア通信がｅＮＢへ干渉を引き起こすか否かに基づいてアップリンクサブフレームの使用が、干渉を引き起こすか否かを決定しうる。ピアツーピア通信がｅＮＢへの干渉を引き起こさない場合には、ワイヤレスデバイスは、アップリンクサブフレームがピアツーピア通信のために利用可能になることを決定する。
【００５３】
[0067]  ステップ１２１０では、ステップ１２０８での決定に基づいて、ＷＷＡＮサブフレームが利用可能である場合、ワイヤレスデバイスはピアツーピア通信のために利用可能なＷＷＡＮサブフレームを利用する。
【００５４】
[0068]  図１３は、ワイヤレス通信の方法のフローチャート１３００である。この方法は、ワイヤレスデバイスによって実行されうる。図１３の方法は、第２のＷＷＡＮサブフレームのエネルギーが決定され、その決定されたエネルギーに基づいて、ワイヤレスデバイスがＷＷＡＮサブフレームの使用が第２のＷＷＡＮサブフレームを介して容易にされるＷＷＡＮ通信への干渉を引き起こすか否かを決定する、図１２のステップ１２０６および１２０８の態様でありうる。
【００５５】
[0069]  ステップ１３０２では、ワイヤレスデバイスがＷＷＡＮサブフレームおよび第２のＷＷＡＮサブフレームが同一のＷＷＡＮサブフレームであるかどうかを決定する。ステップ１３０４では、ステップ１３０２でのポジティブな決定に基づいて、ワイヤレスデバイスは、しきい値にしたがってＷＷＡＮサブフレームの使用がＷＷＡＮ通信への干渉を引き起こすか否かを決定する。
【００５６】
[0070]  特に、ステップ１３０６では、ワイヤレスデバイスは、ＷＷＡＮサブフレームのリソースの第１のセットのエネルギーを決定する。ステップ１３０８では、ステップ１３０６からの入力に基づいて、ワイヤレスデバイスは、決定されたエネルギーがしきい値を下まわるか否かを決定する。
【００５７】
[0071]  ステップ１３１０では、ステップ１３０８での決定に基づいて、ワイヤレスデバイスは、決定されたエネルギーがしきい値を下まわる場合、ピアツーピア通信のためのＷＷＡＮサブフレームのリソースの第２のセットを使用することを決定する。リソースの第１のセットは、ＯＦＤＭシンボルの第１のセットでありえ、リソースの第２のセットは、ＯＦＤＭシンボルの第２のセットでありうる。さらに、ＯＦＤＭシンボルの第１のセットは、物理制御フォーマットインジケータチャネル（ＰＣＦＩＣＨ）を含む第１のＯＦＤＭシンボルでありうる。
【００５８】
[0072]  図１４は、典型的な装置１４０２における異なるモジュール／手段／コンポーネント間のデータフローを示す概念的データフロー図１４００である。装置１４０２は、ワイヤレスデバイスでありうる。装置１４０２は、受信モジュール１４０４、サブフレーム利用可能性決定モジュール１４０６、エネルギー決定モジュール１４０８、および送信モジュール１４１０を含む。
【００５９】
[0073]  受信モジュール１４０４は、ｅＮＢと通信するＵＥまたはｅＮＢからのアイドルＷＷＡＮサブフレームを示す情報を受信しうる。この情報は、多数の手法で受信されうる。例えば、受信モジュール１４０４がＷＷＡＮサブフレームの第１のシンボルにおいてＰＣＦＩＣＨ信号を検出しない場合には、受信モジュール１４０４は、ＷＷＡＮサブフレームがダウンリンク送信のために使用されず、したがって、アイドルＷＷＡＮサブフレームであると決定しうる。他の例では、受信モジュール１４０４は、ＷＷＡＮサブフレームがアイドルであると示すＰＤＣＣＨにおけるメッセージまたはアイドルＷＷＡＮサブフレームの位置を示すシステム情報ブロック（ＳＩＢ）メッセージなどの、ブロードキャストされたメッセージをｅＮＢから受信しうる。受信モジュール１４０４はまた、無線リソース制御（ＲＲＣ）シグナリングを介してアイドルＷＷＡＮサブフレームを示す情報を受信しうる。
【００６０】
[0074]  受信モジュール１４０４がアイドルＷＷＡＮサブフレームを示す情報を受信した後、サブフレーム利用可能性決定モジュール１４０６は、ピアツーピア通信を容易にするためにＷＷＡＮサブフレームの利用可能性を決定する。ＷＷＡＮサブフレームの利用可能性を決定することを支援するために、エネルギー決定モジュール１４０８は、第２のＷＷＡＮサブフレームのエネルギーを決定しうる。決定された第２のＷＷＡＮサブフレームのエネルギーに基づいて、サブフレーム利用可能性決定モジュール１４０６は、ＷＷＡＮサブフレームの使用が第２のＷＷＡＮサブフレームを介して容易にされるＷＷＡＮ通信への干渉を引き起こすか否かを決定する。ＷＷＡＮサブフレームの使用が、ＷＷＡＮ通信への干渉を引き起こさないと決定された場合には、サブフレーム利用可能性決定モジュール１４０６は、ＷＷＡＮサブフレームが利用可能であると決定する。
【００６１】
[0075]  例えば、ＷＷＡＮサブフレームは、ダウンリンクサブフレームでありえ、第２のＷＷＡＮサブフレームは、アップリンクサブフレームでありえ、エネルギー決定モジュール１４０８は、ＵＥのアップリンク送信から第２のＷＷＡＮサブフレームのエネルギーを決定しうる。したがって、サブフレーム利用可能性決定モジュール１４０６は、ダウンリンクサブフレームの使用が、ピアツーピア通信がＵＥへの干渉を引き起こすか否かに基づいて、干渉を引き起こしうるか否かを決定しうる。ピアツーピア通信がＵＥへの干渉を引き起こさない場合には、サブフレーム利用可能性決定モジュール１４０６は、ダウンリンクサブフレームがピアツーピア通信のために利用可能になることを決定する。
【００６２】
[0076]  別の例では、ＷＷＡＮサブフレームは、アップリンクサブフレームでありえ、第２のＷＷＡＮサブフレームは、ダウンリンクサブフレームでありえ、エネルギー決定モジュール１４０８は、ｅＮＢからのダウンリンク送信から第２のＷＷＡＮサブフレームのエネルギーを決定しうる。したがって、サブフレーム利用可能性決定モジュール１４０６は、ピアツーピア通信がｅＮＢへ干渉を引き起こすか否かに基づいて、アップリンクサブフレームの使用が、干渉を引き起こしうるか否かを決定しうる。ピアツーピア通信がｅＮＢへの干渉を引き起こさない場合には、サブフレーム利用可能性決定モジュール１４０６は、アップリンクサブフレームがピアツーピア通信のために利用可能になることを決定する。
【００６３】
[0077]  サブフレーム利用可能性決定モジュール１４０６による決定に基づいて、ＷＷＡＮサブフレームが利用可能である場合、サブフレーム利用可能性決定モジュール１４０６は、ピアツーピア通信のために利用可能なＷＷＡＮサブフレームを利用するために送信モジュール１４１０を介して通信信号を送ることを容易にする。
【００６４】
[0078]  ある態様では、サブフレーム利用可能性決定モジュール１４０６は、ＷＷＡＮサブフレームおよび第２のＷＷＡＮサブフレームが同一のＷＷＡＮサブフレームであるかどうかを決定しうる。ポジティブな決定に基づいて、サブフレーム利用可能性決定モジュール１４０６は、しきい値にしたがってＷＷＡＮサブフレームの使用がＷＷＡＮ通信への干渉を引き起こすか否かを決定する。特に、エネルギー決定モジュール１４０８は、ＷＷＡＮサブフレームのリソースの第１のセットのエネルギーを決定しうる。その後、エネルギー決定モジュール１４０８からの入力に基づいて、サブフレーム利用可能性決定モジュール１４０６は、決定されたエネルギーがしきい値を下まわるか否かを決定する。決定されたエネルギーがしきい値を下まわる場合、サブフレーム利用可能性決定モジュール１４０６は、ピアツーピア通信のためのＷＷＡＮサブフレームのリソースの第２のセットを使用することを決定する。
【００６５】
[0079]  装置は、前述のフローチャート、図１２および図１３におけるアルゴリズムのステップの各々を実行する追加的なモジュールを含みうる。このように、上述のフローチャート、図１２および図１３における各ステップは、モジュールによって実行されうる、また、装置はこれらのモジュールのうちの１つまたは複数を含みうる。モジュールは、特に述べられたプロセス／アルゴリズムを実施するように構成されたプロセッサによってインプリメントされ、述べられたプロセス／アルゴリズムを実行するように構成され、プロセッサによるインプリメンテーションのためのコンピュータ読取可能な媒体内に格納された、またはこれらのいくつかの組み合わせの１つまたは複数のハードウェアコンポーネントでありうる。
【００６６】
[0080]  図１５は、処理システム１５１４を用いる装置１４０２’のためのハードウェアのインプリメンテーションの例を示す図である。処理システム１５１４は、バス１５２４により一般的に表されるバスアーキテクチャでインプリメントされうる。バス１５２４は、処理システム１５１４の特定の用途と全体的な設計の制約に依存して、任意の数の相互接続バスおよびブリッジを含みうる。バス１５２４は、プロセッサ１５０４、モジュール１４０４、１４０６、１４０８、１４１０およびコンピュータ読取可能な媒体１５０６によって表された１つまたは複数のプロセッサおよび／またはハードウェアモジュールを含む、さまざまな回路を共にリンクさせる。バス１５２４はまた、タイミングソース、周辺機器、電圧レギュレータ、電力管理回路といったさまざまな他の回路をリンクさせうるが、これらは、当該技術でよく知られているので、これ以上説明しない。
【００６７】
[0081]  処理システム１５１４は、トランシーバ１５１０に結合されうる。トランシーバ１５１０は、１つまたは複数のアンテナ１５２０に結合される。トランシーバ１５１０は、送信媒体を通して他のさまざまな装置と通信する手段を提供する。処理システム１５１４は、コンピュータ読取可能な媒体１５０６に結合されるプロセッサ１５０４を含む。プロセッサ１５０４は、コンピュータ読取可能な媒体１５０６上に格納されたソフトウェアの実行を含む汎用処理を担当する。このソフトウェアは、プロセッサ１５０４によって実行されると、処理システム１５１４に、任意の特定の装置に関して上述されるさまざまな機能を実行させる。コンピュータ読取可能な媒体１５０６はまた、ソフトウェアを実行する際にプロセッサ１５０４によって操作されるデータを記憶するために使用されうる。処理システムはさらに、モジュール１４０４、１４０６、１４０８、および１４１０のうちの少なくとも１つを含む。モジュールは、プロセッサ１５０４において起動しているソフトウェアモジュールでありえ、コンピュータ読取可能な媒体１５０６において存在／記憶され、プロセッサ１５０４に結合される１つまたは複数のハードウェアモジュールでありえ、またはこれらのいくつかの組み合わせでありうる。処理システム１５１４は、ＵＥ ６５０のコンポーネントでありえ、メモリ ６６０および／またはＴＸプロセッサ６６８、ＲＸプロセッサ６５６、およびコントローラ／プロセッサ６５９のうちの少なくとも１つを含みうる。
【００６８】
[0082]  １つの構成では、ワイヤレス通信についての装置１４０２／１４０２’は、ワイヤレス広域ネットワーク（ＷＷＡＮ）サブフレームの利用可能性を決定するための手段とＷＷＡＮサブフレームが利用可能な場合にピアツーピア通信のためにＷＷＡＮサブフレームを利用するための手段のための手段を含む。前述した手段は、前述した手段によって記載された機能を実行するように構成された装置１４０２’の処理システム１５１４および／または前述した装置１４０２のモジュールのうちの１つまたは複数でありうる。先に述べたように、処理システム１５１４は、ＴＸプロセッサ６６８と、ＲＸプロセッサ６５６と、コントローラ／プロセッサ６５９とを含みうる。このように、１つの構成において、前述した手段は、前述した手段によって記載された機能を実行するように構成されたＴＸプロセッサ６６８、ＲＸプロセッサ６５６、コントローラ／プロセッサ６５９でありうる。
【００６９】
[0083]  開示された処理におけるステップの特定の順序または階層は、典型的なアプローチの一例であるということが理解される。設計の優先性に基づいて、これらの処理におけるステップの特定の順序または階層は並べ替えられうるということが理解される。さらに、いくつかのステップは組み合わされ、または省略されうる。添付の方法の請求項は、サンプルの順序において、さまざまなステップの要素を示し、また、示された具体的な順序または階層に限定されるようには意図されない。
【００７０】
[0084]  先の説明は、当業者に、本明細書に説明されたさまざまな態様の実現を可能にさせるために提供されている。これらの態様へのさまざまな変更は、当業者には容易に明らかになり、本明細書で定義される包括的な本質は他の態様に適用されうる。従って、特許請求の範囲は本明細書で表示される態様に限定されることは意図されておらず、しかし請求項の用語と一貫する全ての範囲が与えられるべきであり、ここにおいて単数形の要素への参照は特別にそのように述べられない限り「１つおよびただ１つ」を意味するように意図されず、むしろ「１つまたは複数の」を意味するように意図される。そうでないことが特に述べられていない限り、「いくつかの」という用語は、１つまたは複数のことを指している。当業者に対して既知である、あるいは後に既知となる本開示において説明された多様な態様の要素に対する全ての構造的および機能的な均等物は、参照によって本明細書に明確に組み込まれ、特許請求の範囲によって包含されるよう意図される。さらに、ここで開示したものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段および機能として解釈されるべきではない。
【図１】
2015515223.tif 000003
【図２】
2015515223.tif 000004
【図３】
2015515223.tif 000005
【図４】
2015515223.tif 000006
【図５】
2015515223.tif 000007
【図６】
2015515223.tif 000008
【図７】
2015515223.tif 000009
【図８】
2015515223.tif 000010
【図９】
2015515223.tif 000011
【図１０】
2015515223.tif 000012
【図１１】
2015515223.tif 000013
【図１２】
2015515223.tif 000014
【図１３】
2015515223.tif 000015
【図１４】
2015515223.tif 000016
【図１５】
2015515223.tif 000017
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
ワイヤレス広域ネットワーク（ＷＷＡＮ）サブフレームの利用可能性を決定することと、
前記ＷＷＡＮサブフレームが利用可能な場合に、ピアツーピア通信のために前記ＷＷＡＮサブフレームを利用することと、
を備え、ここにおいて、前記ＷＷＡＮサブフレームの利用可能性を決定することは、
第２のＷＷＡＮサブフレームのエネルギーを決定することと、
前記第２のＷＷＡＮサブフレームの前記決定されたエネルギーに基づいて、前記ＷＷＡＮサブフレームの使用が、ＷＷＡＮ通信への干渉を引き起こすか否かを決定することと、
を備える、
ワイヤレス通信の方法。
【請求項２】
前記ＷＷＡＮサブフレームの利用可能性を決定することは、
前記ＷＷＡＮサブフレームがアイドルであることを示す情報を受信すること
を備える、請求項１に記載の方法。
【請求項３】
前記情報は、発展型ノードＢ（ｅＮＢ）または前記ｅＮＢと通信しているユーザ機器（ＵＥ）のうちの１つから受信される、請求項２に記載の方法。
【請求項４】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項２に記載の方法。
【請求項５】
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項１に記載の方法。
【請求項６】
前記第２のＷＷＡＮサブフレームはダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項１に記載の方法。
【請求項７】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項１に記載の方法。
【請求項８】
前記エネルギーは、前記ＷＷＡＮサブフレームにおけるリソースの第１のセットにおいて決定され、前記方法は、前記決定されたエネルギーが前記しきい値を下まわるか否かに基づいて、ピアツーピア通信のための前記ＷＷＡＮサブフレームにおけるリソースの第２のセットを使用することを決定することをさらに備える、請求項７に記載の方法。
【請求項９】
前記リソースの第１のセットは、直交周波数分割多重化（ＯＦＤＭ）シンボルの第１のセットであり、前記リソースの第２のセットは、ＯＦＤＭシンボルの第２のセットである、請求項８に記載の方法。
【請求項１０】
前記ＯＦＤＭシンボルの第１のセットは、物理制御フォーマットインジケータ制御チャネル（ＰＣＦＩＣＨ）を備える第１のＯＦＤＭシンボルである、請求項９に記載の方法。
【請求項１１】
ワイヤレス広域ネットワーク（ＷＷＡＮ）サブフレームの利用可能性を決定するための手段と、
前記ＷＷＡＮサブフレームが利用可能な場合にピアツーピア通信のために前記ＷＷＡＮサブフレームを利用するための手段と、
を備え、ここにおいて、前記ＷＷＡＮサブフレームの利用可能性を決定するための手段は、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、
ワイヤレス通信のための装置。
【請求項１２】
前記ＷＷＡＮサブフレームの利用可能性を決定するための手段は、
前記ＷＷＡＮサブフレームがアイドルであることを示す情報を受信するように構成される、請求項１１に記載の装置。
【請求項１３】
前記情報は、発展型ノードＢ（ｅＮＢ）または前記ｅＮＢと通信しているユーザ機器（ＵＥ）のうちの１つから受信される、請求項１２に記載の装置。
【請求項１４】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項１２に記載の装置。
【請求項１５】
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項１１に記載の装置。
【請求項１６】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項１１に記載の装置。
【請求項１７】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項１１に記載の装置。
【請求項１８】
前記エネルギーは、前記ＷＷＡＮサブフレームにおけるリソースの第１のセットにおいて決定され、前記装置は、前記決定されたエネルギーが前記しきい値を下まわるか否かに基づいて、ピアツーピア通信のための前記ＷＷＡＮサブフレームにおけるリソースの第２のセットを使用することを決定するための手段をさらに備える、請求項１７に記載の装置。
【請求項１９】
前記リソースの第１のセットは、直交周波数分割多重化（ＯＦＤＭ）シンボルの第１のセットであり、前記リソースの第２のセットは、ＯＦＤＭシンボルの第２のセットである、請求項１８に記載の装置。
【請求項２０】
前記ＯＦＤＭシンボルの第１のセットは、物理制御フォーマットインジケータ制御チャネル（ＰＣＦＩＣＨ）を備える第１のＯＦＤＭシンボルである、請求項１９に記載の装置。
【請求項２１】
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行なうように構成された処理システムを備え、ここにおいて、前記ＷＷＡＮサブフレームの利用可能性を決定するために、前記処理システムは、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、
ワイヤレス通信のための装置。
【請求項２２】
前記ＷＷＡＮサブフレームの利用可能性を決定するために、前記処理システムは、
前記ＷＷＡＮサブフレームがアイドルであることを示す情報を受信するように構成される、請求項２１に記載の装置。
【請求項２３】
前記情報は、発展型ノードＢ（ｅＮＢ）または前記ｅＮＢと通信しているユーザ機器（ＵＥ）のうちの１つから受信される、請求項２２に記載の装置。
【請求項２４】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項２２に記載の装置。
【請求項２５】
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記処理システムは、前記ピアツーピア通信が前記ＵＥへの干渉を引き起こすか否かに基づいて前記ダウンリンクサブフレームの使用が干渉を引き起こすか否かを決定する、請求項２１に記載の装置。
【請求項２６】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記処理システムは、前記ピアツーピア通信が前記ｅＮＢへの干渉を引き起こすか否かに基づいて前記アップリンクサブフレームの使用が干渉を引き起こすか否かを決定する、請求項２１に記載の装置。
【請求項２７】
前記ＷＷＡＮサブフレームおよび前記第２のＷＷＡＮサブフレームは、同一のＷＷＡＮサブフレームであり、前記処理システムは、前記決定されたエネルギーがしきい値を下まわるか否かに基づいて前記ＷＷＡＮサブフレームの使用が干渉を引き起こすか否かを決定する、請求項２１に記載の装置。
【請求項２８】
前記エネルギーは、前記ＷＷＡＮサブフレームにおけるリソースの第１のセットにおいて決定され、前記処理システムは、前記決定されたエネルギーが前記しきい値を下まわるか否かに基づいて、ピアツーピア通信のための前記ＷＷＡＮサブフレームにおけるリソースの第２のセットを使用することを決定するようにさらに構成される、請求項２７に記載の装置。
【請求項２９】
前記リソースの第１のセットは、直交周波数分割多重化（ＯＦＤＭ）シンボルの第１のセットであり、前記リソースの第２のセットは、ＯＦＤＭシンボルの第２のセットである、請求項２８に記載の装置。
【請求項３０】
前記ＯＦＤＭシンボルの第１のセットは、物理制御フォーマットインジケータ制御チャネル（ＰＣＦＩＣＨ）を備える第１のＯＦＤＭシンボルである、請求項２９に記載の装置。
【請求項３１】
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行うためのコードを備えるコンピュータ読取可能な媒体を備え、ここにおいて、前記ＷＷＡＮサブフレームの利用可能性を決定するためのコードは、
第２のＷＷＡＮサブフレームのエネルギーを決定することと、
前記第２のＷＷＡＮサブフレームの前記決定されたエネルギーに基づいて前記ＷＷＡＮサブフレームの使用がＷＷＡＮ通信への干渉を引き起こすか否かを決定することと、
を行うためのコードを備える、
コンピュータプログラム製品。
【請求項３２】
前記ＷＷＡＮサブフレームの利用可能性を決定するためのコードは、
前記ＷＷＡＮサブフレームがアイドルであることを示す情報を受信するためのコードを備える、請求項３１に記載のコンピュータプログラム製品。
【請求項３３】
前記情報は、発展型ノードＢ（ｅＮＢ）または前記ｅＮＢと通信しているユーザ機器（ＵＥ）のうちの１つから受信される、請求項３２に記載のコンピュータプログラム製品。
【請求項３４】
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、請求項３２に記載のコンピュータプログラム製品。
【請求項３５】
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、請求項３１に記載のコンピュータプログラム製品。
【請求項３６】
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、請求項３１に記載のコンピュータプログラム製品。
【請求項３７】
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、請求項３１に記載のコンピュータプログラム製品。
【請求項３８】
前記エネルギーは、前記ＷＷＡＮサブフレームにおけるリソースの第１のセットにおいて決定され、前記コンピュータ読取可能な媒体は、前記決定されたエネルギーが前記しきい値を下まわるか否かに基づいて、ピアツーピア通信のための前記ＷＷＡＮサブフレームにおけるリソースの第２のセットを使用することを決定するためのコードをさらに備える、請求項３７に記載のコンピュータプログラム製品。
【請求項３９】
前記リソースの第１のセットは、直交周波数分割多重化（ＯＦＤＭ）シンボルの第１のセットであり、前記リソースの第２のセットは、ＯＦＤＭシンボルの第２のセットである、請求項３８に記載のコンピュータプログラム製品。
【請求項４０】
前記ＯＦＤＭシンボルの第１のセットは、物理制御フォーマットインジケータ制御チャネル（ＰＣＦＩＣＨ）を備える第１のＯＦＤＭシンボルである、請求項３９に記載のコンピュータプログラム製品。
【手続補正２】
【補正対象書類名】明細書
【補正対象項目名】００７０
【補正方法】変更
【補正の内容】
【００７０】
[0084]  先の説明は、当業者に、本明細書に説明されたさまざまな態様の実現を可能にさせるために提供されている。これらの態様へのさまざまな変更は、当業者には容易に明らかになり、本明細書で定義される包括的な本質は他の態様に適用されうる。従って、特許請求の範囲は本明細書で表示される態様に限定されることは意図されておらず、しかし請求項の用語と一貫する全ての範囲が与えられるべきであり、ここにおいて単数形の要素への参照は特別にそのように述べられない限り「１つおよびただ１つ」を意味するように意図されず、むしろ「１つまたは複数の」を意味するように意図される。そうでないことが特に述べられていない限り、「いくつかの」という用語は、１つまたは複数のことを指している。当業者に対して既知である、あるいは後に既知となる本開示において説明された多様な態様の要素に対する全ての構造的および機能的な均等物は、参照によって本明細書に明確に組み込まれ、特許請求の範囲によって包含されるよう意図される。さらに、ここで開示したものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段および機能として解釈されるべきではない。
以下に、本願出願の当初の特許請求の範囲に記載された発明を付記する。
［Ｃ１］
ワイヤレス広域ネットワーク（ＷＷＡＮ）サブフレームの利用可能性を決定することと、
前記ＷＷＡＮサブフレームが利用可能な場合に、ピアツーピア通信のために前記ＷＷＡＮサブフレームを利用することと、
を備える、ワイヤレス通信の方法。
［Ｃ２］
前記ＷＷＡＮサブフレームの利用可能性を決定することは、
前記ＷＷＡＮサブフレームがアイドルであることを示す情報を受信すること
を備える、Ｃ１に記載の方法。
［Ｃ３］
前記情報は、発展型ノードＢ（ｅＮＢ）または前記ｅＮＢと通信しているユーザ機器（ＵＥ）のうちの１つから受信される、Ｃ２に記載の方法。
［Ｃ４］
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、Ｃ２に記載の方法。
［Ｃ５］
前記ＷＷＡＮサブフレームの利用可能性を決定することは、
第２のＷＷＡＮサブフレームのエネルギーを決定することと、
前記第２のＷＷＡＮサブフレームの前記決定されたエネルギーに基づいて、ＷＷＡＮサブフレームの使用が、ＷＷＡＮ通信への干渉を引き起こすか否かを決定することと、
を備える、Ｃ１に記載の方法。
［Ｃ６］
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、Ｃ５に記載の方法。
［Ｃ７］
前記第２のＷＷＡＮサブフレームはダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、Ｃ５に記載の方法。
［Ｃ８］
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、Ｃ５に記載の方法。
［Ｃ９］
前記エネルギーは、前記ＷＷＡＮサブフレームにおけるリソースの第１のセットにおいて決定され、前記方法は、前記決定されたエネルギーが前記しきい値を下まわるか否かに基づいて、ピアツーピア通信のための前記ＷＷＡＮサブフレームにおけるリソースの第２のセットを使用することを決定することをさらに備える、Ｃ８に記載の方法。
［Ｃ１０］
前記リソースの第１のセットは、直交周波数分割多重化（ＯＦＤＭ）シンボルの第１のセットであり、前記リソースの第２のセットは、ＯＦＤＭシンボルの第２のセットである、Ｃ９に記載の方法。
［Ｃ１１］
前記ＯＦＤＭシンボルの第１のセットは、物理制御フォーマットインジケータ制御チャネル（ＰＣＦＩＣＨ）を備える第１のＯＦＤＭシンボルである、Ｃ１０に記載の方法。
［Ｃ１２］
ワイヤレス広域ネットワーク（ＷＷＡＮ）サブフレームの利用可能性を決定するための手段と、
前記ＷＷＡＮサブフレームが利用可能な場合にピアツーピア通信のために前記ＷＷＡＮサブフレームを利用するための手段と、
を備える、ワイヤレス通信のための装置。
［Ｃ１３］
前記ＷＷＡＮサブフレームの利用可能性を決定するための手段は、
前記ＷＷＡＮサブフレームがアイドルであることを示す情報を受信するように構成される、Ｃ１２に記載の装置。
［Ｃ１４］
前記情報は、発展型ノードＢ（ｅＮＢ）または前記ｅＮＢと通信しているユーザ機器（ＵＥ）のうちの１つから受信される、Ｃ１３に記載の装置。
［Ｃ１５］
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、Ｃ１３に記載の装置。
［Ｃ１６］
前記ＷＷＡＮサブフレームの利用可能性を決定するための手段は、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、Ｃ１２に記載の装置。
［Ｃ１７］
前記第２のＷＷＡＮサブフレームはアップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、Ｃ１６に記載の装置。
［Ｃ１８］
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、Ｃ１６に記載の装置。
［Ｃ１９］
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、Ｃ１６に記載の装置。
［Ｃ２０］
前記エネルギーは、前記ＷＷＡＮサブフレームにおけるリソースの第１のセットにおいて決定され、前記装置は、前記決定されたエネルギーが前記しきい値を下まわるか否かに基づいて、ピアツーピア通信のための前記ＷＷＡＮサブフレームにおけるリソースの第２のセットを使用することを決定するための手段をさらに備える、Ｃ１９に記載の装置。
［Ｃ２１］
前記リソースの第１のセットは、直交周波数分割多重化（ＯＦＤＭ）シンボルの第１のセットであり、前記リソースの第２のセットは、ＯＦＤＭシンボルの第２のセットである、Ｃ２０に記載の装置。
［Ｃ２２］
前記ＯＦＤＭシンボルの第１のセットは、物理制御フォーマットインジケータ制御チャネル（ＰＣＦＩＣＨ）を備える第１のＯＦＤＭシンボルである、Ｃ２１に記載の装置。
［Ｃ２３］
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行なうように構成された処理システムを備える、ワイヤレス通信のための装置。
［Ｃ２４］
前記ＷＷＡＮサブフレームの利用可能性を決定するために、前記処理システムは、
前記ＷＷＡＮサブフレームがアイドルであることを示す情報を受信するように構成される、Ｃ２３に記載の装置。
［Ｃ２５］
前記情報は、発展型ノードＢ（ｅＮＢ）または前記ｅＮＢと通信しているユーザ機器（ＵＥ）のうちの１つから受信される、Ｃ２４に記載の装置。
［Ｃ２６］
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、Ｃ２４に記載の装置。
［Ｃ２７］
前記ＷＷＡＮサブフレームの利用可能性を決定するために、前記処理システムは、
第２のＷＷＡＮサブフレームのエネルギーを決定することと、
前記第２のＷＷＡＮサブフレームの前記決定されたエネルギーに基づいて、前記ＷＷＡＮサブフレームの使用がＷＷＡＮ通信への干渉を引き起こすか否かを決定することと、
を行なうように構成される、Ｃ２３に記載の装置。
［Ｃ２８］
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記処理システムは、前記ピアツーピア通信が前記ＵＥへの干渉を引き起こすか否かに基づいて前記ダウンリンクサブフレームの使用が干渉を引き起こすか否かを決定する、Ｃ２７に記載の装置。
［Ｃ２９］
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記処理システムは、前記ピアツーピア通信が前記ｅＮＢへの干渉を引き起こすか否かに基づいて前記アップリンクサブフレームの使用が干渉を引き起こすか否かを決定する、Ｃ２７に記載の装置。
［Ｃ３０］
前記ＷＷＡＮサブフレームおよび前記第２のＷＷＡＮサブフレームは、同一のＷＷＡＮサブフレームであり、前記処理システムは、前記決定されたエネルギーがしきい値を下まわるか否かに基づいて前記ＷＷＡＮサブフレームの使用が干渉を引き起こすか否かを決定する、Ｃ２７に記載の装置。
［Ｃ３１］
前記エネルギーは、前記ＷＷＡＮサブフレームにおけるリソースの第１のセットにおいて決定され、前記処理システムは、前記決定されたエネルギーが前記しきい値を下まわるか否かに基づいて、ピアツーピア通信のための前記ＷＷＡＮサブフレームにおけるリソースの第２のセットを使用することを決定するようにさらに構成される、Ｃ３０に記載の装置。
［Ｃ３２］
前記リソースの第１のセットは、直交周波数分割多重化（ＯＦＤＭ）シンボルの第１のセットであり、前記リソースの第２のセットは、ＯＦＤＭシンボルの第２のセットである、Ｃ３１に記載の装置。
［Ｃ３３］
前記ＯＦＤＭシンボルの第１のセットは、物理制御フォーマットインジケータ制御チャネル（ＰＣＦＩＣＨ）を備える第１のＯＦＤＭシンボルである、Ｃ３２に記載の装置。
［Ｃ３４］
ワイヤレス広域ネットワーク（ＷＷＡＮ）サブフレームの利用可能性を決定することと、
前記ＷＷＡＮサブフレームが利用可能な場合にピアツーピア通信のために前記ＷＷＡＮサブフレームを利用することと、
を行うためのコードを備えるコンピュータ読取可能な媒体を備える、コンピュータプログラム製品。
［Ｃ３５］
前記ＷＷＡＮサブフレームの利用可能性を決定するためのコードは、
前記ＷＷＡＮサブフレームがアイドルであることを示す情報を受信するためのコードを備える、Ｃ３４に記載のコンピュータプログラム製品。
［Ｃ３６］
前記情報は、発展型ノードＢ（ｅＮＢ）または前記ｅＮＢと通信しているユーザ機器（ＵＥ）のうちの１つから受信される、Ｃ３５に記載のコンピュータプログラム製品。
［Ｃ３７］
前記情報は、発展型ノードＢ（ｅＮＢ）からのシステム情報ブロック（ＳＩＢ）、物理ダウンリンク制御チャネル（ＰＤＣＣＨ）、無線リソース制御（ＲＲＣ）シグナリング、または物理制御フォーマットインジケータ制御チャネル（ＰＣＦＩＣＨ）の非検出を介して受信される、Ｃ３５に記載のコンピュータプログラム製品。
［Ｃ３８］
前記ＷＷＡＮサブフレームの利用可能性を決定するためのコードは、
第２のＷＷＡＮサブフレームのエネルギーを決定することと、
前記第２のＷＷＡＮサブフレームの前記決定されたエネルギーに基づいて前記ＷＷＡＮサブフレームの使用がＷＷＡＮ通信への干渉を引き起こすか否かを決定することと、
を行うためのコードを備える、Ｃ３４に記載のコンピュータプログラム製品。
［Ｃ３９］
前記第２のＷＷＡＮサブフレームは、アップリンクサブフレームであり、前記ＷＷＡＮサブフレームはダウンリンクサブフレームであり、前記エネルギーはユーザ機器（ＵＥ）のアップリンク送信から決定され、前記ダウンリンクサブフレームの使用が干渉を引き起こすか否かを決定することは、前記ピアツーピア通信が前記ＵＥへの干渉を引き起こすか否かに基づく、Ｃ３８に記載のコンピュータプログラム製品。
［Ｃ４０］
前記第２のＷＷＡＮサブフレームは、ダウンリンクサブフレームであり、前記ＷＷＡＮサブフレームはアップリンクサブフレームであり、前記エネルギーは発展型ノードＢ（ｅＮＢ）のダウンリンク送信から決定され、前記アップリンクサブフレームの使用が干渉を引き起こすか否かを決定することは、前記ピアツーピア通信が前記ｅＮＢへの干渉を引き起こすか否かに基づく、Ｃ３８に記載のコンピュータプログラム製品。
［Ｃ４１］
前記ＷＷＡＮサブフレームおよび前記第２のＷＷＡＮサブフレームは、同一のＷＷＡＮサブフレームであり、前記ＷＷＡＮサブフレームの使用が干渉を引き起こすか否かを決定することは前記決定されたエネルギーがしきい値を下まわるか否かに基づく、Ｃ３８に記載のコンピュータプログラム製品。
［Ｃ４２］
前記エネルギーは、前記ＷＷＡＮサブフレームにおけるリソースの第１のセットにおいて決定され、前記コンピュータ読取可能な媒体は、前記決定されたエネルギーが前記しきい値を下まわるか否かに基づいて、ピアツーピア通信のための前記ＷＷＡＮサブフレームにおけるリソースの第２のセットを使用することを決定するためのコードをさらに備える、Ｃ４１に記載のコンピュータプログラム製品。
［Ｃ４３］
前記リソースの第１のセットは、直交周波数分割多重化（ＯＦＤＭ）シンボルの第１のセットであり、前記リソースの第２のセットは、ＯＦＤＭシンボルの第２のセットである、Ｃ４２に記載のコンピュータプログラム製品。
［Ｃ４４］
前記ＯＦＤＭシンボルの第１のセットは、物理制御フォーマットインジケータ制御チャネル（ＰＣＦＩＣＨ）を備える第１のＯＦＤＭシンボルである、Ｃ４３に記載のコンピュータプログラム製品。
【国際調査報告】
2015515223.tif 000018
2015515223.tif 000019
2015515223.tif 000020